(57)【要約】【課題】スクリーン自体を直接的にサッシに固定してスクリーンの取付構造を簡素化するに当たり、スクリーンの張設、交換を簡便で熟練者でなくても容易に行えるようにする。【解決手段】サッシにスクリーンを固定的に張設するスクリーン張設機構であって、上記サッシ１における縦横のスクリーン取付部１Ａ，１Ｂにスクリーン３の取付溝７，８を設け、スクリーンはその四周に係止用の膨出部４を付設し、取付溝に対するスクリーンの膨出部の固定は、該膨出部を係合溝１５に係止させた溝蓋１２を上記取付溝７に係合させ、あるいは、該膨出部を上記取付溝８に施蓋する溝蓋２２との間に係止させることにより行う。【選択図】図１
2010070977.tif 000002
【特許請求の範囲】
【請求項１】
建物開口部に設置されるサッシにスクリーンを固定的に張設するためのスクリーン張設機構であって、
上記サッシにおける縦横のスクリーン取付部には、スクリーンの取付溝を設け、
上記スクリーンは、その四周に係止用の膨出部を付設したものとして構成し、
上記スクリーンの取付溝に対してスクリーンの四周の係止用の膨出部を固定する固定手段は、該膨出部を係止させる係合溝を外面側に有する溝蓋、あるいは、該膨出部を上記取付溝の口縁との間に係止させる溝蓋に、それらを上記取付溝にスクリーンを挟圧することなく係合させる係合脚を設けることにより構成し、
上記溝蓋には、上記係合脚を取付溝に押入係止させるための押圧板を備え、該押圧板に指先押圧用の平坦押圧面を備えている、
ことを特徴とするスクリーン張設機構。
【請求項２】
上記スクリーンの取付溝は、上記サッシにおけるスクリーン取付部に直接取付溝を形成し、あるいは当該取付溝を有する溝材をサッシに固定することにより構成している、
ことを特徴とする請求項１に記載のスクリーン張設機構。
【請求項３】
上記取付溝が上記サッシにおける内側に向けて開口するものであり、上記溝蓋における押圧板が、該溝蓋の係合脚を上記取付溝に押入できる向きに形成され、上記溝蓋の係合脚の上記取付溝に対する係合機構を、該係合脚の上記取付溝に対する係合を離脱させるに要する力が、上記押圧板の押圧による係合脚の取付溝への押入係止のための押圧力よりも大きいものとした、
ことを特徴とする請求項１または２に記載のスクリーン張設機構。
【請求項４】
上記スクリーンの四周の膨出部の固定手段として、該膨出部を係合溝に係止させた溝蓋の係合脚を上記取付溝に係合させる第１の固定手段を用いた、
ことを特徴とする請求項３に記載のスクリーン張設機構。
【請求項５】
上記スクリーンの四周の膨出部の固定手段として、上記取付溝の口縁と該取付溝に施蓋する溝蓋との間に上記膨出部を係止させて上記溝蓋の係合脚の鈎部を取付溝の口縁に係止させる第２の固定手段を用いた、
ことを特徴とする請求項３に記載のスクリーン張設機構。
【請求項６】
上記スクリーンの膨出部の固定手段として、上記サッシにおける縦横のスクリーン取付部の一方においては、該膨出部を係合溝に係止させた溝蓋の係合脚を上記取付溝に係合させる第１の固定手段を用い、縦横のスクリーン取付部の他方においては、上記取付溝の口縁と該取付溝に施蓋する溝蓋の蓋縁との間に上記膨出部を係止させて上記溝蓋の係合脚の鈎部を取付溝の口縁に係止させる第２の固定手段を用いた、
ことを特徴とする請求項３に記載のスクリーン張設機構。
【請求項７】
上記スクリーンの膨出部の第１の固定手段から導出されるスクリーンが、上記サッシのスクリーン取付部における戸障子側に設けたスクリーン保護板に近接配置されるように、第１の固定手段の溝蓋における上記係合溝を上記スクリーン保護板に向けて開口させている、
ことを特徴とする請求項４または６に記載のスクリーン張設機構。
【請求項８】
上記スクリーンの膨出部の第２の固定手段からのスクリーンが、上記取付溝を有する溝材におけるサッシの戸障子側に設けたスクリーン保護板に沿って導出されるように、上記取付溝に施蓋する溝蓋の蓋縁が、上記スクリーン保護板が連設されている取付溝の口縁に沿って上記膨出部を係止させるように配設されている、
ことを特徴とする請求項５または６に記載のスクリーン張設機構。
【請求項９】
上記スクリーンの膨出部の第１の固定手段が、上記係合溝を備えた合成樹脂製の溝蓋に上記スクリーンの取付溝に係合させるための係合脚を設け、該係合脚を、上記取付溝に挿入される脚板の先端両側に薄肉化された弾性的可撓部を介して一対の固定部材を連接することにより構成され、
上記一対の固定部材が、上記取付溝に先導的に挿入可能に形成された先端部材と該先端部材と一体の基部材とを有し、
上記固定部材及び上記弾性的可撓部は、取付溝への上記先端部材の挿入後に基部材が該取付溝の口縁に係止して弾性的可撓部のまわりで姿勢を変えるトグル機構を構成し、
上記固定部材の取付溝への装着完了後に、上記トグル機構により上記先端部材が上記取付溝の口縁内側に係止する状態に保持するように構成されている、
ことを特徴とする請求項４，６または７のいずれかに記載のスクリーン張設機構。
【請求項１０】
上記スクリーンの膨出部の第２の固定手段が、上記サッシに固定した上記取付溝を有する溝材と、上記取付溝の口縁との間に上記膨出部を係止させる溝蓋とを、軟質合成樹脂からなる屈曲可能な連結部を介して合成樹脂で一体に形成することにより構成され、上記膨出部を上記取付溝の口縁と該溝蓋における上記連結部とは反対側の蓋縁との間に係合させ、該蓋縁に設けた鈎部を上記取付溝の内面の係合縁に係合させて施蓋可能とした、
ことを特徴とする請求項５〜７のいずれかに記載のスクリーン張設機構。
【請求項１１】
上記係止用の膨出部を、ファスナー半体により構成した、
ことを特徴とする請求項１〜９のいずれかに記載のスクリーン張設機構。
【発明の詳細な説明】
【技術分野】
【０００１】
本発明は、スクリーン自体を直接的にサッシに対して簡易に固定できるようにしたスクリーン張設機構に関するものである。
【背景技術】
【０００２】
従来、防虫、遮光、断熱、目隠し、花粉除け、あるいは装飾等のためのスクリーンを建物開口部に設置されたサッシ等に支持させて張設する場合、図１３及び図１４に示すように、スクリーン３を専用の枠部材４１に予め張設して、それを独立の建具であるスクリーン固定枠４０として取り扱い、あるいは開閉操作に供し得るようにして、窓等の戸障子２のサッシ１に固定的に、あるいは、開閉等のために摺動自在または着脱自在に取り付けている。しかしながら、近年のように、多くの住宅等の建物において、防虫、遮光等のための各種スクリーン３を建物開口部に張設し、しかも、人の出入りのない窓等のように、スクリーン自体を直接的にサッシ等に固定しても差し支えないところも少なくない場合には、上記スクリーン３を専用の枠部材４１に固定してスクリーン固定枠４０とする必要がなく、該スクリーン３をサッシに対して直接張設可能にするのが有利になる。
【０００３】
また、このようにスクリーン３をサッシに対して直接張設可能にするものとして、例えば、特許文献１に開示されているものなどが知られているが、このようなスクリーンは、季節によって交換し、あるいは、住宅の居住者らの趣向等に応じてスクリーンが選択張設されることが多いので、スクリーンの張設・撤去を居住者に任せることも多くなり、そのため、スクリーンの着脱が簡便で、熟練者でなくても容易に行えることが望ましく、しかも、見込・見付方向共に小さい寸法で簡易な構成のものとしてスクリーンの取付機構を実現し、スクリーンの張設に要する部材がサッシによって開かれている眺望を妨げない構成とすることも望まれる。
【特許文献１】特開２００７−１７７５６６号公報
【発明の開示】
【発明が解決しようとする課題】
【０００４】
本発明の技術的課題は、スクリーン自体を直接的にサッシに固定するようにして、スクリーンの取付構造を簡素化するに当たり、スクリーンの張設、交換、撤去を、簡便で熟練者でなくても容易に行えるようにし、特に、スクリーンの張設は、工具等を用いることなく手作業のみで行うことを可能にし、しかも、一旦張設したスクリーンは離脱し難く、また、上記スクリーンをサッシ等における戸障子側に近い位置に設けられるスクリーン保護板に近接する位置に容易に配置することができて、スクリーンが戸障子に近い位置にスクリーン保護板により保護されて安定的に張設できるようにしたスクリーン張設機構を提供することにある。
【課題を解決するための手段】
【０００５】
上記課題を解決するため、本発明によれば、建物開口部に設置されるサッシにスクリーンを固定的に張設するためのスクリーン張設機構であって、上記サッシにおける縦横のスクリーン取付部には、スクリーンの取付溝を設け、上記スクリーンは、その四周に係止用の膨出部を付設したものとして構成し、上記スクリーンの取付溝に対してスクリーンの四周の係止用の膨出部を固定する固定手段は、該膨出部を係止させる係合溝を外面側に有する溝蓋、あるいは、該膨出部を上記取付溝の口縁との間に係止させる溝蓋に、それらを上記取付溝にスクリーンを挟圧することなく係合させる係合脚を設けることにより構成し、上記溝蓋には、上記係合脚を取付溝に押入係止させるための押圧板を備え、該押圧板に指先押圧用の平坦押圧面を備えていることを特徴とするスクリーン張設機構が提供される。
上記スクリーンの四周に付設する係止用の膨出部は、ファスナー半体により構成するのが望ましい。
【０００６】
本発明に係るスクリーン張設機構の好ましい実施形態においては、上記スクリーンの取付溝が、上記サッシにおけるスクリーン取付部に直接取付溝を形成し、あるいは当該取付溝を有する溝材をサッシに固定することにより構成される。
また、本発明に係るスクリーン張設機構の好ましい実施形態においては、上記取付溝が上記サッシにおける内側に向けて開口し、上記溝蓋における押圧板が、該溝蓋の係合脚を上記取付溝に押入できる向きに形成され、上記溝蓋の係合脚の上記取付溝に対する係合機構を、該係合脚の上記取付溝に対する係合を離脱させるに要する力が、上記押圧板の押圧による係合脚の取付溝への押入係止のための押圧力よりも大きいものとして構成される。
【０００７】
更に、本発明に係るスクリーン張設機構の好ましい実施形態においては、上記スクリーンの四周の膨出部の固定手段として、いずれも、該膨出部を係合溝に係止させた溝蓋の係合脚を上記取付溝に係合させる第１の固定手段を用い、また、上記スクリーンの四周の膨出部の固定手段として、いずれも、上記取付溝の口縁と該取付溝に施蓋する溝蓋との間に上記膨出部を係止させて上記溝蓋の係合脚の鈎部を取付溝の口縁に係止させる第２の固定手段を用いることができる。また、縦横のスクリーン取付部の一方においては、該膨出部を係合溝に係止させた溝蓋の係合脚を上記取付溝に係合させる第１の固定手段を用い、縦横のスクリーン取付部の他方においては、上記取付溝の口縁と該取付溝に施蓋する溝蓋の蓋縁との間に上記膨出部を係止させて上記溝蓋の係合脚の鈎部を取付溝の口縁に係止させる第２の固定手段を用いることもできる。
【０００８】
本発明に係るスクリーン張設機構においては、上記スクリーンの膨出部の第１の固定手段から導出されるスクリーンが、上記サッシのスクリーン取付部における戸障子側に設けたスクリーン保護板に近接配置されるように、第１の固定手段の溝蓋における上記係合溝を上記スクリーン保護板に向けて開口させ、また、上記スクリーンの膨出部の第２の固定手段からのスクリーンが、上記取付溝を有する溝材におけるサッシの戸障子側に設けたスクリーン保護板に沿って導出されるように、上記取付溝に施蓋する溝蓋の蓋縁が、上記スクリーン保護板が連設されている取付溝の口縁に沿って上記膨出部を係止させるように配設されることが望まれる。
【０００９】
また、本発明に係るスクリーン張設機構においては、上記スクリーンの膨出部の第１の固定手段が、上記係合溝を備えた合成樹脂製の溝蓋に上記スクリーンの取付溝に係合させるための係合脚を設け、該係合脚を、上記取付溝に挿入される脚板の先端両側に薄肉化された弾性的可撓部を介して一対の固定部材を連接することにより構成され、上記一対の固定部材が、上記取付溝に先導的に挿入可能に形成された先端部材と該先端部材と一体の基部材とを有し、上記固定部材及び上記弾性的可撓部は、取付溝への上記先端部材の挿入後に基部材が該取付溝の口縁に係止して弾性的可撓部のまわりで姿勢を変えるトグル機構を構成し、上記固定部材の取付溝への装着完了後に、上記トグル機構により上記先端部材が上記取付溝の口縁内側に係止する状態に保持するように構成される。
【００１０】
一方、上記スクリーンの膨出部の第２の固定手段は、上記サッシに固定した上記取付溝を有する溝材と、上記取付溝の口縁との間に上記膨出部を係止させる溝蓋とを、軟質合成樹脂からなる屈曲可能な連結部を介して合成樹脂で一体に形成することにより構成され、上記膨出部を上記取付溝の口縁と該溝蓋における上記連結部とは反対側の蓋縁との間に係合させ、該蓋縁に設けた鈎部を上記取付溝の内面の係合縁に係合させて施蓋可能に構成される。
【発明の効果】
【００１１】
以上に詳述した本発明のスクリーン張設機構によれば、スクリーン自体を直接的にサッシに固定するようにして、スクリーンの取付構造を簡素化するに当たり、スクリーンの張設、交換、撤去を、簡便で熟練者でなくても容易に行うことができ、特に、スクリーンの張設は、工具等を用いることなく手作業のみで行うことができ、しかも、一旦張設したスクリーンは離脱し難く、また、上記スクリーンをサッシ等における戸障子側に近い位置に設けられるスクリーン保護板に近接する位置に容易に配置することができ、スクリーンが戸障子に近い位置にスクリーン保護板により保護されて安定的に張設できるようにしたスクリーン張設機構を提供することができる。
【発明を実施するための最良の形態】
【００１２】
図１〜図１２は、本発明に係るスクリーン張設機構の実施の一例を示している。このスクリーン張設機構は、建物開口部に設置されるサッシ１における窓等の戸障子２の内側にスクリーン３を固定的に張設するためのものであり、上記サッシ１の枠部における縦横のスクリーン取付部１Ａ，１Ｂには、それぞれ、スクリーン３の取付溝７，８を設けた溝材５，６を取り付けている。この取付溝７，８は、本発明に係るスクリーン張設機構を既存のサッシに適用することを想定し、図１〜図３に示すように、上記サッシ１におけるスクリーンの取付部１Ａ，１Ｂに取付溝７，８を有する溝材５，６を適数のビス９で固定することにより構成しているが、図９に示すように、上記溝材を用いることなく、サッシ１におけるスクリーン取付部１Ａに直接取付溝７Ａを形成し（取付部１Ｂの取付溝８についても同様）、あるいは、サッシに設けられている既存の溝状部を利用することもできる。
【００１３】
上記図１〜図３における縦及び横の溝材５，６は、図１３及び図１４に示している従来のスクリーン３の枠部材４１のように、スクリーン３を張設した独立のスクリーン固定枠４０として取り扱い、あるいは、操作できるものではなく、縦横の溝材５，６はその強度自体が独立した操作に耐えないものであり、また、図４に示すように、サッシ１におけるスクリーンの取付部の四隅において、それらの溝材５，６はコーナー部材１０との嵌め合わせにより相互に位置合わせはしているが、相互に固定しているものではなく、サッシ１にビス９で固定している状態においては所定の枠状を保持しているが、ビス９を螺脱して溝材５，６をサッシ１から取り外した状態においては、それらは枠状を保持するものではない。なお、図４中におけるコーナー部材１０の凹溝１０ａは、縦の取付溝７に取り付けるスクリーン３とその膨出部４（後述）の下端を嵌入させるためのものである。
【００１４】
一方、上記スクリーン３は、その四周に上記溝材５，６に対する係止用の膨出部４を付設したものとして構成している。上記膨出部４は、ファスナー半体のように可撓の布テープ４ａの一側に列設した多数の係合歯により形成されたもので、上記スクリーン３の四周に汎用のファスナー（ジッパー）の半体を取り付けることにより構成することもできるが、該膨出部４はその一対が相互に噛合する必要のないものであり、そのため、ファスナー半体に近似したものにより構成することができる。
【００１５】
図示した実施例におけるスクリーン張設機構においては、サッシ１に取り付けた縦の溝材５におけるスクリーン３の取付溝７に対して、該スクリーン３の係止用の膨出部４を固定するに当たり、図５〜図８に示すような第１の固定手段、すなわち、上記膨出部４を係止させる係合溝１５を外面側に有する溝蓋１２を用いて、それに設けた係合脚１６を上記取付溝７に係合させることにより固定している。上記係合溝１５は溝蓋１２の外面側にあるので、係合脚１６等で取付溝７の溝縁等との間で挟圧されることはない。
また、サッシ１に取り付けた横の溝材６におけるスクリーン３の取付溝８に対しては、図５及び図１０〜１２に示すような第２の固定手段、すなわち、上記膨出部４を、上記取付溝８の口縁８ａと該取付溝８に施蓋する溝蓋２２との間に係止させることにより行っている。この場合にも、上記取付溝８の口縁８ａとの間でスクリーン３が挟圧されることはない。
【００１６】
上記図５〜図８を参照して、上記第１の固定手段について更に具体的に説明すると、上記取付溝７に膨出部４を保持して取り付けられる合成樹脂製の溝蓋１２は、蓋本体１３として、この溝蓋１２を取付溝７側に押圧するための押圧板１４の背後に、上記膨出部４を係止させる係合溝１５を備え、この蓋本体１３に、該溝蓋１２を上記スクリーン３の取付溝７に係合させるための係合脚１６を備えている。上記溝蓋１２に設けた押圧板１４は、上記係合脚１６を取付溝７に押入係止させるために、その外表面に指先押圧用の平坦押圧面１４ａを備えている。
【００１７】
上記係合脚１６は、取付溝７に挿入される脚板１６ａの先端両側に薄肉化された弾性的可撓部１６ｂを介して一対の固定部材１６ｃを連接することにより構成され、これらの一対の固定部材１６ｃが、上記取付溝７に先導的に挿入可能に形成された先端部材１６ｄと、取付溝７への該先端部材１６ｄの挿入後に該取付溝７の口縁７ａに係止することにより上記弾性的可撓部１６ｂのまわりで姿勢を変える方向に押圧される該先端部材１６ｄと一体の基部材１６ｅとを有している。そして、上記固定部材１６ｃ及び上記弾性的可撓部１６ｂは、取付溝７への上記先端部材１６ｄの挿入後に基部材１６ｅが該取付溝７の口縁７ａに係止して弾性的可撓部１６ｂのまわりで姿勢を変えるトグル機構を構成し、そのため、上記固定部材１６ｃの取付溝７への装着完了後には、上記トグル機構により上記先端部材１６ｄが上記取付溝７の口縁７ａの内側に係止する状態に保持するように構成されている。
【００１８】
従って、図６に示すように、溝蓋１２における係合溝１５にスクリーン３の膨出部４を係止させたうえで、上記係合脚１６の一対の固定部材１６ｃにおける先端部材１６ｄを溝材５の取付溝７の口縁７ａに対向配置し、その状態で、押圧板１４の平坦押圧面１４ａを指先で押圧することにより、図７に示すように該先端部材１６ｄが取付溝７内へ挿入されると、該先端部材１６ｄと基部材１６ｅとの連結部が取付溝７の口縁７ａに係止することにより、固定部材１６ｃが上記弾性的可撓部１６ｂの変形で上記口縁７ａまわりで姿勢を変え、トグル機構により押圧板１４を更に押圧しなくても、図８に示すように、上記弾性的可撓部１６ｂが上記先端部材１６ｄを上記取付溝７の口縁７ａの内側に係止する状態に弾性的に保持するようになり、上記固定部材１６ｃの取付溝７への装着が完了する。
なお、図９は、サッシ１の取付溝７Ａに上記第１の固定手段により溝蓋１２を係止させた状態を示している。
【００１９】
また、サッシ１に取り付けた横の溝材６におけるスクリーン３の取付溝８に上記膨出部４を固定するための第２の固定手段の構成は、図５及び図１０〜１２に示すように、上記サッシ１に固定した上記取付溝８を有する合成樹脂製の溝材６と、該取付溝８の口縁８ａとの間に上記膨出部４を係止させる溝蓋２２とを、軟質合成樹脂からなる屈曲可能な連結部２１を介して合成樹脂で一体に形成し、上記膨出部４を上記取付溝８の口縁８ａと該溝蓋２２における上記連結部２１とは反対側の蓋縁２２ａとの間に係合させ、該蓋縁２２ａの近辺に設けた係合脚２３の鈎部２３ａを上記取付溝８の内面の係合縁８ｂに係合させて施蓋可能に構成している。また、上記溝蓋２２は、上記係合脚２３を取付溝８に押入係止させるための押圧板２４を兼ねるものとして構成し、該押圧板２４の表面を指先押圧用の平坦押圧面２４ａとしている。
【００２０】
従って、図１０に示すように、スクリーン３の膨出部４を取付溝８における口縁８ａに保持した状態で、図１１に示すように溝蓋２２を閉じていき、図１２に示すように係合脚２３の鈎部２３ａを取付溝８内の係合縁８ｂに係合させることにより、上記スクリーン３を保持させることができる。
【００２１】
上述した実施例では、上記膨出部４の固定を、上記サッシ１における縦横のスクリーン取付部１Ａ，１Ｂの一方、すなわち、縦のスクリーン取付部１Ａにおいては、該膨出部４を係合溝１５に係止させた溝蓋１２を上記取付溝７に係合させる構成の第１の固定手段によって行い、縦横のスクリーン取付部１Ａ，１Ｂの他方、すなわち、横のスクリーン取付部１Ｂにおいては、上記取付溝８の口縁８ａと該取付溝８施蓋する溝蓋２２との間に上記膨出部４を係止させて上記溝蓋２２の係合脚２３の鈎部２３ａを取付溝８の口縁８ａに係止させる構成の第２の固定手段を用いている。
【００２２】
このように、縦横のスクリーン取付部１Ａ，１Ｂにおいて膨出部４の固定手段を別異のものにすると、スクリーンの取付作業の手順が良好になる。すなわち、前者の溝蓋１２は予め係合溝１５にスクリーン３の膨出部４を挿入しておいてから溝蓋１２を取付溝７に係合させるのに適しているのに対し、後者では、溝材６における取付溝８の口縁８ａにスクリーンの膨出部４を保持した状態で溝蓋２２を閉じることによって、スクリーン３の膨出部４の固定を行うものであり、前者の溝蓋１２によるスクリーン３の一方の対向辺の取り付けを行った後、スクリーン３の他方の対向辺の取り付けを別の段階の操作として行えるので、スクリーンの取付作業が簡便化される。
【００２３】
しかしながら、上記スクリーン３の取付溝７，８に対するスクリーン３の四周の膨出部４の固定を、いずれも、図６〜図９に示すような、該膨出部４を係合溝１５に係止させた溝蓋１２を上記取付溝に係合させる第１の固定手段により行い、あるいは、いずれも、図１０〜図１２に示すような、上記取付溝８の口縁８ａと該取付溝に施蓋する溝蓋２２との間に上記膨出部４を係止させる第２の固定手段によって行うこともできる。
【００２４】
上記スクリーン３は、サッシ１の縦横のスクリーン取付部１Ａ，１Ｂにおける取付溝７，７間及び取付溝８，８間の間隔に応じて、対向位置にある膨出部４間の間隔を設定する必要があり、上記間隔が任意のサッシに適用するためには、その対向位置にある膨出部４の少なくとも一方のスクリーン３に対する取付位置を簡易に調整可能にするとか、溝材５，６あるいは溝蓋１２，２２として膨出部４の取付位置を異にするものを用意するなど、適宜手段でサッシ１とスクリーン３との寸法調整を行うことができる。
【００２５】
上記実施例においては、上記取付溝７，８が上記サッシ１における内側に向けて開口するものであり、上記溝蓋１２，２２における押圧板１４，２４の平坦押圧面１４ａ，２４ａが、該溝蓋１２，２２の係合脚１６，２３を上記取付溝７，８に押入できる向きに形成され、上記溝蓋１２，２２の係合脚１６，２３の上記取付溝７，８に対する係合機構、すなわち、上記第１及び第２の固定手段における係合脚１６，２３の取付溝７，８に対する係合が、いずれも、係合脚１６，２３の上記取付溝７，８に対する係合を離脱させるに要する力が、上記押圧板１４，２４の押圧による係合脚１６，２３の取付溝７，８への押入係止のための押圧力よりも大きいものとして構成している。
【００２６】
このような構成は、一旦張設したスクリーンを離脱し難くするのに有効なものであるばかりでなく、スクリーンの張設操作を容易にし、熟練者でなくてもスクリーンの張設、交換等を容易に実施可能にするものである。また、上記押圧板１４，２４は、取付溝７，８への押入係止のための押圧力が比較的小さく、その表面を平坦押圧面１４ａ，２４ａとしているので、工具等を用いることなく手作業のみで溝蓋１２，２２の固定を行うことを可能にするものである。
【００２７】
また、上記スクリーン３の膨出部４の第１の固定手段から導出されるスクリーン３が、上記サッシ１のスクリーン取付部１Ａにおける戸障子２側に設けたスクリーン保護板１１に近接配置されるように、第１の固定手段の溝蓋１２における上記係合溝１５を上記スクリーン保護板１１に向けて開口させている。一方、上記スクリーン３の膨出部４の第２の固定手段からのスクリーン３は、上記取付溝８を有する溝材６におけるサッシ１の戸障子２側に設けたスクリーン保護板６ａに沿って導出されるように、上記取付溝８に施蓋する溝蓋２２の蓋縁２２ａが、上記スクリーン保護板６ａが連設されている取付溝８の口縁８ａに沿って上記膨出部を係止させるように配設されている。
このように構成すると、上記スクリーン３をサッシにおける戸障子２側に近い位置に設けられるスクリーン保護板１１，６ａに近接する位置に容易に配置することができ、しかも、スクリーン３の取付部分が戸障子２に近い位置において保護板１１，６ａにより保護されるので、スクリーンの安定的な張設に有効なものである。
【００２８】
上記構成を有するスクリーン張設機構を採用してスクリーン３を建物開口部のサッシ１の室内側に固定的に張設すると、該サッシ１における戸障子の開閉操作を手動で行うことが困難になる。そのため、上記スクリーン張設機構は、サッシ１の戸障子を室内側から操作できるような場合、例えば、図１〜図３に示しているような室内側でのハンドル２５の操作で戸障子２を開閉できる辷り出し窓等に適している。
【００２９】
上記辷り出し窓は、図３に示すように、サッシ１の窓枠部２６に両端を可回転とした一対の回転レバー２７，２８を介して戸障子２が回動自在に連結され、ハンドル２５の回動操作で駆動される図示しないウォームを介して、ウォームホイール２９を回転駆動可能とし、そのウォームホイール２９に設けた凸レバー２９ａの先端と一方の回転レバー２７の中間部分とを、駆動レバー３０により回転自在に連結し、それにより、ハンドル２５の回転駆動で駆動レバー３０を介して一方の回転レバー２７を回転駆動し、該窓枠部２６から戸障子２が辷り出し状態で外側の開位置（図３）に開き、ハンドル２５の逆回転操作により戸障子２が該窓枠部２６を閉じる閉位置（図１）の状態にすることができるものである。
なお、ハンドル２５により戸障子２を開閉する機構は極めて一般的に知られているものであるから、それらの機構を適宜採用することができる。
【図面の簡単な説明】
【００３０】
【図１】本発明にかかるスクリーン張設機構の一実施例によりスクリーンをサッシに取り付けた状態を示す縦断面図である。
【図２】同平断面図である。
【図３】図２の辷り出し窓を開放した状態の平断面図である。
【図４】縦及び横の溝材の構成を示す部分拡大斜視図である。
【図５】上記溝材にスクリーンを張設した状態を示す同部分拡大斜視図である。
【図６】縦の溝材に対してスクリーンを取り付ける初期段階を示す要部拡大断面図である。
【図７】同中間段階を示す要部拡大断面図である。
【図８】同取り付け完了状態を示す要部拡大断面図である。
【図９】スクリーンを固定する溝蓋の変形例を示す取り付け完了状態の要部拡大断面図である。
【図１０】横の溝蓋に対してスクリーンを固定する初期段階を示す要部拡大断面図である。
【図１１】同中間段階を示す要部拡大断面図である。
【図１２】同取り付け完了状態を示す要部拡大断面図である。
【図１３】従来から公知の手段によりスクリーンをサッシに取り付けた状態を示す縦断面図である。
【図１４】同平断面図である。
【符号の説明】
【００３１】
１    サッシ
１Ａ，１Ｂ    スクリーン取付部
３    スクリーン
４    膨出部
５，６    溝材
６ａ，１１    スクリーン保護板
７，８    取付溝
７ａ，８ａ    口縁
８ｂ    係合縁
１２，２２    溝蓋
１４，２４    押圧板
１４ａ，２４ａ    平坦押圧面
１５    係合溝
１６，２３    係合脚
１６ａ    脚板
１６ｂ    弾性的可撓部
１６ｃ    固定部材
１６ｄ    先端部材
１６ｅ    基部材
２１    連結部
２２ａ    蓋縁
２３ａ    鈎部
【図１】
2010070977.tif 000003
【図２】
2010070977.tif 000004
【図３】
2010070977.tif 000005
【図４】
2010070977.tif 000006
【図５】
2010070977.tif 000007
【図６】
2010070977.tif 000008
【図７】
2010070977.tif 000009
【図８】
2010070977.tif 000010
【図９】
2010070977.tif 000011
【図１０】
2010070977.tif 000012
【図１１】
2010070977.tif 000013
【図１２】
2010070977.tif 000014
【図１３】
2010070977.tif 000015
【図１４】
2010070977.tif 000016